(57)【要約】【課題】乳幼児にとって快適で使用勝手もよく、生後間もない乳幼児から長期間に亘って使用できる乳幼児用便器を提供する。【解決手段】本発明に係る乳幼児用便器は、乳幼児の排泄物を受けるポット部１と、ポット部１を着脱自在に支持する本体部１９とを備え、ポット部１は、本体部１９から取り外した状態で、抱きかかえた乳幼児の股の間に挿入して使用できるものであって、底部９、周壁部１１、周壁部１１の上縁に設けられた便座部５及び取っ手部７を有してなり、本体部１９は上面部２４、周囲壁２２を有し、上面部２４の中央にはポット部１を挿入する開口部２１とが設けられており、本体部１９の高さは、ポット部１を開口部２１に装着したときに、乳幼児が両足を接地した状態で腰掛けることができる高さに設定されていることを特徴とするものである。【選択図】  図１
2014033902.tif 000002
【特許請求の範囲】
【請求項１】
乳幼児の排泄物を受けるポット部と、該ポット部を着脱自在に支持する本体部とを備え、
前記ポット部は、前記本体部から取り外した状態で、抱きかかえた乳幼児の股の間に挿入して使用できるものであって、底部、周壁部、該周壁部の上縁に設けられた便座部及び取っ手部を有してなり、
前記本体部は上面部、周囲壁を有し、前記上面部の中央には前記ポット部を挿入する開口部とが設けられており、
前記本体部の高さは、前記ポット部を前記開口部に装着したときに、乳幼児が両足を接地した状態で腰掛けることができる高さに設定されていることを特徴とする乳幼児用便器。
【請求項２】
前記本体部の高さは、前記ポット部を前記開口部に設置した状態で該ポット部の便座部の高さが前記本体部の設置面から高さ方向において１２０ｍｍ〜１６０ｍｍとなるように設定されていることを特徴とする請求項１記載の乳幼児用便器。
【請求項３】
前記本体部の中央の幅は、２１０ｍｍ〜３４０ｍｍに設定されていることを特徴とする請求項１又は２記載の乳幼児用便器。
【請求項４】
前記ポット部の周壁部における前壁部が前方に向かって凸状に湾曲する湾曲形状になっていることを特徴とする請求項１乃至３のいずれか一項に記載の乳幼児用便器。
【請求項５】
前記ポット部は、周壁部が底部に向かって縮径する形状になっていることを特徴とする請求項１乃至４のいずれか一項に記載の乳幼児用便器。
【請求項６】
前記便座部の外縁にはその全周に亘り下方に屈曲した屈曲部が形成されていることを特徴とする請求項１乃至５のいずれか一項に記載の乳幼児用便器。
【請求項７】
前記便座部の前部には上方に膨出した金隠し部が設けられており、該金隠し部の下面に手指を挿入できる空洞部が形成されており、該金隠し部が取っ手部として機能することを特徴とする請求項１乃至６のいずれか一項に記載の乳幼児用便器。
【請求項８】
前記便座部は、後部側から前部に側向かって中央が凹む湾曲形状になっていることを特徴とする請求項１乃至７の記載のいずれか一項に記載の乳幼児用便器。
【発明の詳細な説明】
【技術分野】
【０００１】
本発明は、乳幼児の排泄時に使用する乳幼児用便器に関する。
【背景技術】
【０００２】
乳幼児の排泄用の機器として、いわゆるポット便器と呼ばれる携帯型便器や幼児用便器（おまる）が知られている。携帯型便器は、円筒容器からなるものが一般的である。
携帯型便器は、生後まもない乳幼児から使用でき、携帯や夜間の使用に便利とされている。
【０００３】
首がすわるまでの乳幼児に携帯型便器を使用する場合、親が膝の上で乳幼児を横抱きにして、乳幼児の背中を腕で支えた状態で、携帯型便器を乳幼児の股の間に足の方から差し入れて使用する。
そして、少し月齢が高くなり、首がすわるようになると、乳幼児を膝の上に載せるようにして抱き、携帯型便器を乳幼児の股に挟み、乳幼児の背中を支えるようにして使用する。
さらに、月齢が過ぎると、後述する幼児用便器のように、携帯型便器に乳幼児を座らせるようにして使用することもできる。この頃から、携帯型便器の使用を継続するか、幼児用便器に切り替えるかの選択が行われる。
【０００４】
８か月頃を過ぎ、乳幼児がお座りを始めると、幼児用便器の使用が始まる。幼児用便器の例として、例えば特許文献１に記載されているように、その基本構成は、弁壺と、台部からなり、弁壺を取り外せるようになっている。
さらに、月齢が高くなると、大人用の便座の上に補助便座を載せて排泄させるということになる。
【先行技術文献】
【特許文献】
【０００５】
【特許文献１】実公昭５６−２１３５４号公報
【発明の概要】
【発明が解決しようとする課題】
【０００６】
近年おむつなし保育を実践したいと思う親が増え、例えばホーローの円筒容器を乳幼児に当てがったり、円筒容器上に乳幼児を座らせたりしているが、安定した姿勢を維持することが難しく、乳幼児にとって快適でなく、また親にとっても使用勝手がよいとは言えないという問題がある。
【０００７】
また、乳幼児用の排泄器具としては、携帯型便器と幼児用便器のように月齢によって異なる機器を使用するというのが一般的である。
そのため、月齢によって異なる機器を購入しなければならず、そのため携帯型便器がすぐに不要になってしまうという問題がある。
このような問題を背景として、月齢の低い間は紙おむつを使用し、月齢がかなり高くなってから、補助便座を使用するという傾向がみられる。そのため、おむつがはずれる月齢が高くなり、また、おむつかぶれの問題もある。
【０００８】
また、携帯型便器を使用して、その次に幼児用便器を使用するとしても、一般に携帯型便器と幼児用便器とでは、全く形状が異なっているので、携帯型便器に馴染んだ乳幼児にとって、幼児用便器は馴染みがないので、排泄の習慣を最初から構築する必要がある。
【０００９】
本発明はかかる課題を解決するためになされたものであり、乳幼児にとって快適で親にとって使用勝手もよく、生後間もない乳幼児から長期間に亘って使用できておむつなし保育に資することができる乳幼児用便器を提供することを目的としている。
【課題を解決するための手段】
【００１０】
（１）本発明に係る乳幼児用便器は、乳幼児の排泄物を受けるポット部と、該ポット部を着脱自在に支持する本体部とを備え、
前記ポット部は、前記本体部から取り外した状態で、抱きかかえた乳幼児の股の間に挿入して使用できるものであって、底部、周壁部、該周壁部の上縁に設けられた便座部及び取っ手部を有してなり、
前記本体部は上面部、周囲壁を有し、前記上面部の中央には前記ポット部を挿入する開口部とが設けられており、
前記本体部の高さは、前記ポット部を前記開口部に装着したときに、乳幼児が両足を接地した状態で腰掛けることができる高さに設定されていることを特徴とするものである。
【００１１】
（２）また、上記（１）に記載のものにおいて、前記本体部の高さは、前記ポット部を前記開口部に設置した状態で該ポット部の便座部の高さが前記本体部の設置面から高さ方向において１２０ｍｍ〜１６０ｍｍとなるように設定されていることを特徴とするものである。
【００１２】
（３）また、上記（１）又は（２）に記載のものにおいて、前記本体部の中央の幅は、２１０ｍｍ〜３４０ｍｍに設定されていることを特徴とするものである。
【００１３】
（４）また、上記（１）乃至（３）のいずれかに記載のものにおいて、前記ポット部の周壁部における前壁部が前方に向かって凸状に湾曲する湾曲形状になっていることを特徴とするものである。
【００１４】
（５）また、上記（１）乃至（４）のいずれかに記載のものにおいて、前記ポット部は、周壁部が底部に向かって縮径する形状になっていることを特徴とするものである。
【００１５】
（６）また、上記（１）乃至（５）のいずれかに記載のものにおいて、前記便座部の外縁にはその全周に亘り下方に屈曲した屈曲部が形成されていることを特徴とするものである。
【００１６】
（７）また、上記（１）乃至（６）のいずれかに記載のものにおいて、前記便座部の前部には上方に膨出した金隠し部が設けられており、該金隠し部の下面に手指を挿入できる空洞部が形成されており、該金隠し部が取っ手部として機能することを特徴とするものである。
【００１７】
（８）また、上記（１）乃至（７）のいずれかに記載のものにおいて、前記便座部は、後部側から前部に側向かって中央が凹む湾曲形状になっていることを特徴とするものである。
なお、本明細書において、携帯型便器、おまるの部位を説明するに際して方向を示す「前」側とは乳幼児が携帯型便器を使用する際に対面する側を言い、「後」側とはその反対側を言う。
【発明の効果】
【００１８】
本発明に係る乳幼児用便器は、乳幼児の排泄物を受けるポット部と、該ポット部を着脱自在に支持する本体部とを備え、前記ポット部は、前記本体部から取り外した状態で、抱きかかえた乳幼児の股の間に挿入して使用できるものであり、また本体部の高さは、前記ポット部を前記開口部に装着したときに、乳幼児が両足を接地した状態で腰掛けることができる高さに設定されていることから、ポット便器（携帯型便器）から乳幼児用便器（おまる）へと一貫して長期間に亘る使用ができる従来にない発想の排泄補助器具であり、近年、志向が高まっているおむつなし保育の実践に資することができる。
【図面の簡単な説明】
【００１９】
【図１】本発明の実施の形態に係る乳幼児用便器の斜視図である。
【図２】図１の断面図である。
【図３】本発明の実施の形態に係るポット部の斜視図である。
【図４】本発明の実施の形態に係るポット部の平面図である。
【図５】図４の矢視Ａ−Ａ線に沿う断面図である。
【図６】本発明の実施の形態に係るポット部の使用方法の説明図である。
【図７】本発明の実施の形態に係る乳幼児用便器の本体部の斜視図である。
【図８】本発明の実施の形態に係る乳幼児用便器の本体部の断面図である。
【図９】本発明の実施の形態に係るポット部の６面図と斜視図である。
【図１０】本発明の実施の形態に係る乳幼児用便器の６面図と斜視図である。
【図１１】本発明の実施の形態に係る乳幼児用便器の本体部の６面図と斜視図である。
【発明を実施するための形態】
【００２０】
本発明の一実施の形態に係る乳幼児用便器１７は、図１、図２に示すように、乳幼児の排泄物を受けるポット部１と、ポット部１を着脱自在に支持する本体部１９とを備えている。
以下、ポット部１と本体部１９について詳細に説明する。
【００２１】
＜ポット部＞
ポット部は、本体部から取り外した状態で、抱きかかえた乳幼児の股の間に挿入して使用できるものであって、底部、周壁部からなるポット部本体と、周壁部の上縁に設けられた便座部及び取っ手部を有している。
各構成を詳細に説明する。
【００２２】
《ポット部本体》
ポット部本体３は、底部９と周壁部１１からなる。周壁部１１は前壁部１１ａと側壁部１１ｂと後壁部１１ｃによって構成されている。前壁部１１ａは、図５に示すように、前方に向かって凸状に湾曲する形状になっている。前壁部１１ａを前方に向かって凸状に湾曲する形状にすることで、排尿時に尿が上方に跳ね返ることなく底部９に案内されるようになっている。
他方、両側壁部１１ｂと後壁部１１ｃは底部９から上端に向かって末広がりになるような傾斜面になっている（図４参照）。こうすることで、ポット部本体３に溜まった排泄物の排出が容易になると共に、ポット部本体３の洗浄も容易になっている。
【００２３】
また、両側壁部１１ｂと後壁部１１ｃは底部９から上端に向かって末広がりになっていることから、周壁部１１全体としては、図３、図４に示すように底部９側が縮径する形状になっており、図６に示す使用状態において、親１３がポット部本体３を股の間に挟んで保持しやすい。ポット部本体３を親１３が保持しやすいことは、便座部５に乳幼児１５を載せたときに乳幼児１５を安定して保持でき、使用勝手に優れる。
【００２４】
《便座部》
便座部５は、取っ手部７を除く全周に亘って設けられている。便座部５は、周壁部１１の上端から外方に広がる鍔部５ａと、鍔部５ａの外周縁に形成された下方に向けて屈曲する屈曲部５ｂとを備えている。
鍔部５ａは、幅方向すなわちポット部本体３側から外方に向かう方向において、斜め上方に傾斜する傾斜面となっている。
また、便座部５の外周縁には下方に向けて屈曲する屈曲部５ｂが形成されている。屈曲部５ｂを形成することで、乳幼児１５の肌に優しく触れるようになると共に、強度が向上している。
また、この屈曲部５ｂが後述するおまるとして使用する際に、本体部１９への係合片として機能する。
【００２５】
また、便座部５は図５に示すように、後部側から中央部に向かって徐々に低くなり、さらに前部側に向かって少し高くなるというに前後方向で湾曲した形状になっている。このような形状にすることで、乳幼児１５を安定して便座部５上に保持することができる。
【００２６】
《取っ手部》
取っ手部７は、図３、図５に示すように、便座部５から連続して形成され、ポット部本体３の前側の上端部に設けられている。
取っ手部７は、上面が隆起した（膨出した）山形部７ａとなっており、その下面が空洞部７ｂになっている。空洞部７ｂに手を入れて山形部７ａを把持することで、ポット部１を簡易かつ確実に把持することができ、さらに後記の使用方法で述べるように、使用時において乳幼児１５の股の間に差し入れる際の持ち手としても好適である。
また、山形部７ａは前壁部１１ａに連続しており、この部分が金隠し部となって、尿が上方に飛び散るのを防止している。
【００２７】
上記のように構成された本実施の形態のポット部１を本体部１９から取り外してポット便器として使用する使用方法について説明する。
図６に示すように、親１３は、乳幼児１５を膝の上に抱きかかえるようにして、片手で乳幼児１５を支え、他方の手でポット部１の取っ手部７を持って、ポット部１をその後部側から乳幼児１５の股の間に差し込むようにする。
このとき、取っ手部７を除く全周に便座部５が設けられており、かつ便座部５の鍔部５ａが外方に向かって斜め上方に傾斜しているので、乳幼児１５を安定して便座部５で保持することができる。
また、取っ手部７の内壁側が乳幼児１５が前方にずれるのを防止するストッパとして機能する（図６参照）。
【００２８】
排尿時において、ポット部本体３の前壁部１１ａが前方膨らむように凸状になっているので、前壁部１１ａに当たった尿が底面側に誘導されて上方に跳ね返るのを防止している。
排泄が終わると、親１３は取っ手部７を持ってポット部１を引き出すようにすればよい。
【００２９】
本実施の形態のポット部１は、便座部５の鍔部５ａが外方に向かって斜め上方に傾斜する傾斜面となっているので、乳幼児１５を安定して便座部５で保持できる。
また、便座部５が後方に向かって上斜め方向に傾斜する湾曲形状であり、かつ取っ手部７の内壁が便座部５よりも上方に突出しているので、この点でも乳幼児１５を便座部５の所定の位置に安定して保持できる。
また、ポット部本体３の前部上端に取っ手部７を有しているので、上記のような使用方法をする際に使用勝手がよく便利である。
【００３０】
＜本体部＞
本体部１９は図７、図８に示すように、略楕円筒体の周囲壁２２と、周囲壁２２の後部に立ち上がるように形成された背もたれ部２３を有している。
周囲壁２２の上部には、上面部２４を有し、上面部２４の中央にはポット部本体３を挿入する開口部２１が設けられている。
本体部１９の高さは、ポット部１を開口部２１に装着したときに、乳幼児が両足を接地した状態で腰掛けることができる高さに設定されている。具体的には、ポット部１を開口部２１に設置した状態でポット部１の便座部５の高さが本体部１９の設置面から高方向において１２０ｍｍ〜１６０ｍｍとなるように設定されており、最も好ましい寸法としては、１３５ｍｍである。
また、本体部１９の中央部の幅寸法は、２１０ｍｍ〜３４０ｍｍに設定されており、最も好ましい寸法としては２６０ｍｍである。これら、本体部１９の高さや幅の寸法は、乳幼児（生後６−９月〜１.５年ー２年）の股下寸法を考慮して設定したものである。
【００３１】
上面部２４の開口部２１の周縁には、便座部５の下面に当接してポット部１を支持する支持部２５が形成されている。支持部２５は、図７、図８に示すように、便座部５の鍔部５ａの下面に当接するような凸リング状に形成されており、鍔部５ａの屈曲部５ｂが上面部の外周縁に係合するようになっている。
周囲壁２２の前端上部には、凹陥部２７が形成されている。凹陥部２７を形成することにより、ポット部１を設置した際に、ポット部１の取っ手部７と周囲壁２２との隙間が大きくなって手指を挿入して取っ手部７を把持し易くなっている。
【００３２】
背もたれ部２３は、側部２３ａと後部２３ｂからなる平面視で円弧状に湾曲した形状に形成されている。後部２３ｂの上端部が略水平になっており、側部２３ａの上端部は斜め上方に立ち上がる円弧状（図２参照）になっている。
なお、本体部１９の内部は空洞になっている。
【００３３】
上記のように構成された乳幼児用便器１７においては、ポット部１を本体部１９の開口部２１に設置して使用する。
本実施の形態の乳幼児用便器１７の便器であるポット部１は、携帯型便器（ポット便器）としても使用できるため、乳幼児１５の月齢が低いときにはポット部便器として使用し、月齢が高くなったときに乳幼児用便器１７として使用することができる。
しかも、月齢の低いときにポット便器として使用したポット部１が、便器として乳幼児用便器１７に設置されているので、乳幼児１５にとっても便器に馴染みがあり乳幼児用便器１７としての使用を円滑にすることができる。
また、乳幼児１５の月齢が低いときに主としてポット部１をポット便器として使用している際にも、本体部１９がポット部１の置き台として使用できるので、この点でも便利である。
【００３４】
本実施の形態の乳幼児用便器１７は、便器として携帯型便器として使用できるポット部１を有しており、ポット便器（携帯型便器）からおまるへと一貫して長期間に亘る使用ができる従来にない発想の排泄補助器具である。
また、このような排泄補助器具は、おむつなし育児に好適であり、おむつかぶれの問題の解決にも資するものである。
【符号の説明】
【００３５】
１  ポット部
３  ポット部本体
５  便座部
５ａ  鍔部
５ｂ  屈曲部
７  取っ手部
７ａ  山形部
７ｂ  空洞部
９  底部
１１  周壁部
１１ａ  前壁部
１１ｂ  側壁部
１１ｃ  後壁部
１３  親
１５  乳幼児
１７  乳幼児用便器
１９  本体部
２１  開口部
２２  周囲壁
２３  背もたれ部
２３ａ  側部
２３ｂ  後部
２４  上面部
２５  支持部
２７  凹陥部
【図１】
2014033902.tif 000003
【図２】
2014033902.tif 000004
【図３】
2014033902.tif 000005
【図４】
2014033902.tif 000006
【図５】
2014033902.tif 000007
【図６】
2014033902.tif 000008
【図７】
2014033902.tif 000009
【図８】
2014033902.tif 000010
【図９】
2014033902.tif 000011
【図１０】
2014033902.tif 000012
【図１１】
2014033902.tif 000013